【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
光記録担体にデータを記録するための書き込み方式パラメータを決定する装置であって、
−  初期書き込み方式パラメータを設定する初期化手段と、
−  当該書き込み方式パラメータを最適化するための実験計画法において使用するための初期変数水準と初期実験計画とを、当該初期書き込み方式パラメータの変動に基づいて設定する設定手段と、
−  実験計画法を使用することによって、最適化された書き込み方式パラメータを決定する最適化手段と、
−  前記最適化手段によって決定された前記最適化された書き込み方式パラメータをさらに最適化すべきであるかを、所定の基準に基づいて調べ、前記書き込み方式パラメータをさらに最適化すべきである場合に、当該書き込み方式パラメータをさらに最適化するために前記実験計画法のさらなる反復において使用するための新しい変数水準と新しい実験計画とを決定する、反復手段と、
を備える、装置。
【請求項２】
当該最適化手段が、
−  当該記録担体へのテスト記録を、前記実験計画法によって使用される前記変数水準および前記実験計画に設定されている当該初期書き込み方式パラメータの変動を使用して、所定の回数だけ実行するテスト記録手段と、
−  テスト記録の各々について、当該テスト記録の記録品質を示す品質パラメータの品質パラメータ値を測定する測定手段と、
−  当該テスト記録の前記測定された品質パラメータ値を評価することによって、最適化された書き込み方式パラメータを決定する決定手段と、
を備える、請求項１に記載の装置。
【請求項３】
光記録担体からデータを再生するための読み取りパラメータを決定する装置であって、
−  初期読み取りパラメータを設定する初期化手段と、
−  当該読み取りパラメータを最適化するために実験計画法において使用するための初期変数水準と初期実験計画とを、当該初期読み取りパラメータの変動に基づいて設定する設定手段と、
−  実験計画法を使用することによって、最適化された読み取りパラメータを決定する最適化手段と、
−  前記最適化手段によって決定された前記最適化された読み取りパラメータをさらに最適化すべきであるかを、所定の基準に基づいて調べ、前記読み取りパラメータをさらに最適化すべきである場合に、当該読み取りパラメータをさらに最適化するために前記実験計画法のさらなる反復において使用するための新しい変数水準と新しい実験計画とを決定する、反復手段と、
を備える、装置。
【請求項４】
当該最適化手段が、
−  当該記録担体からのテスト読み取りを、前記実験計画法によって使用される前記変数水準および前記実験計画に設定されている当該初期読み取りパラメータの変動を使用して、所定の回数だけ実行するテスト読み取り手段と、
−  テスト読み取りの各々について、当該テスト読み取りの読み取り品質を示す品質パラメータの品質パラメータ値を測定する測定手段と、
−  当該テスト読み取りの前記測定された品質パラメータ値を評価することによって、最適化された読み取りパラメータを決定する決定手段と、
を備える、請求項３に記載の装置。
【請求項５】
当該決定手段が、モデル、とりわけ二次モデルを使用し、当該モデルの最適値、とりわけ最小値を決定することによって、前記最適化されたパラメータを決定するようにされている、請求項２または４に記載の装置。
【請求項６】
当該測定手段が、ジッター、ブロック誤り率、またはビット誤り率を品質パラメータとして使用するようにと、各々、各テスト記録および各テスト読み取りの後に、前記品質パラメータを測定するようにされている、請求項２または４に記載の装置。
【請求項７】
当該設定手段が、当該実験計画法において使用される当該実験計画において、所定の回数の実験、特に（9 + 4n）回の実験（n = 0, 1, 2,...）を設定するようにされている、請求項１に記載の装置。
【請求項８】
当該設定手段が、当該実験計画法において使用される当該実験計画において、13回の実験を設定するようにされている、請求項７に記載の装置。
【請求項９】
当該設定手段が、当該初期変数水準と当該初期実験計画とを、所定の数、特に2つの当該初期パラメータの変動に基づいて設定するようにされている、請求項１に記載の装置。
【請求項１０】
当該反復手段が、前記最適化されたパラメータをさらに最適化すべきかを調べるための当該所定の基準において、前記最適化されたパラメータを当該最適化手段によって決定するために使用されるモデルの1つ以上の係数値を使用するようにされており、当該所定の基準が当該係数値のしきい値を備える、請求項１に記載の装置。
【請求項１１】
当該反復手段が、前記最適化されたパラメータを当該最適化手段によって決定するために使用されるモデルの1つ以上の係数値に基づいて、新しい変数水準と新しい実験計画とを決定するようにされている、請求項１に記載の装置。
【請求項１２】
当該反復手段が、二次モデルの二次係数値に基づいて新しい変数水準と新しい実験計画とを決定するようにされている、請求項１１に記載の装置。
【請求項１３】
当該反復手段が、当該1つ以上の係数値に基づいて前の変数水準を増大させる、減少させる、および／またはシフトすることによって、新しい変数水準を決定するようにと、当該新しい変数水準に基づいて新しい実験計画を決定するようにされている、請求項１１に記載の装置。
【請求項１４】
当該初期パラメータが、ADIP情報に格納されているパラメータ、または、ADIP情報に基づいて選択される、ドライブにおけるメディアテーブルに格納されている2つのクラスのデフォルトのパラメータ、を含んでいる、請求項１に記載の装置。
【請求項１５】
光記録担体にデータを記録するための書き込み方式パラメータを決定する方法であって、
−  初期書き込み方式パラメータと、当該書き込み方式パラメータを最適化するために実験計画法において使用するための初期変数水準と初期実験計画とを設定するステップと、
−  実験計画法を使用することによって、最適化された書き込み方式パラメータを決定するステップと、
−  前記決定された最適化された書き込み方式パラメータをさらに最適化すべきであるかを、所定の基準に基づいて調べるステップと、
−  前記書き込み方式パラメータをさらに最適化すべきである場合に、当該書き込み方式パラメータをさらに最適化するために前記実験計画法のさらなる反復において使用するための新しい初期変数と新しい初期実験計画とを決定するステップと、
を備える、方法。
【請求項１６】
光記録担体からデータを読み取るための読み取りパラメータを決定する方法であって、
−  初期読み取りパラメータと、当該読み取りパラメータを最適化するために実験計画法において使用するための初期変数水準と初期実験計画とを設定するステップと、
−  実験計画法を使用することによって、最適化された読み取りパラメータを決定するステップと、
−  前記決定された最適化された読み取りパラメータをさらに最適化すべきであるかを、所定の基準に基づいて調べるステップと、
−  前記読み取りパラメータをさらに最適化すべきである場合に、当該読み取りパラメータをさらに最適化するために前記実験計画法のさらなる反復において使用するための新しい初期変数と新しい初期実験計画とを決定するステップと、
を備える、方法。
【請求項１７】
光記録担体にデータを記録する、および／または光記録担体からデータを読み取るためのサーボパラメータを決定する装置であって、
−  初期サーボパラメータを設定する初期化手段と、
−  当該サーボパラメータを最適化するために実験計画法において使用するための初期変数水準と初期実験計画とを、当該初期サーボパラメータの変動に基づいて設定する設定手段と、
−  実験計画法を使用することによって、最適化されたサーボパラメータを決定する最適化手段と、
−  前記最適化手段によって決定された前記最適化されたサーボパラメータをさらに最適化すべきであるかを、所定の基準に基づいて調べ、前記サーボパラメータをさらに最適化すべきである場合に、当該サーボパラメータをさらに最適化するために前記実験計画法のさらなる反復において使用するための新しい変数水準と新しい実験計画とを決定する、反復手段と、
を備える、装置。
【請求項１８】
当該サーボパラメータが、フォーカスオフセット、半径方向の傾きの較正、球面収差、接線方向の傾き、半径方向のオフセット、のうちの1つ以上を含んでいる、請求項１７に記載の装置。
【請求項１９】
光記録担体にデータを記録する、および／または光記録担体からデータを読み取るためのサーボパラメータを決定する方法であって、
−  初期サーボパラメータを設定するステップと、
−  当該サーボパラメータを最適化するために実験計画法において使用するための初期変数水準と初期実験計画とを、当該初期サーボパラメータの変動に基づいて設定するステップと、
−  実験計画法を使用することによって、最適化されたサーボパラメータを決定するステップと、
−  前記最適化されたサーボパラメータをさらに最適化すべきであるかを、所定の基準に基づいて調べるステップと、
−  前記サーボパラメータをさらに最適化すべきである場合に、当該サーボパラメータをさらに最適化するために前記実験計画法のさらなる反復において使用するための新しい変数水準と新しい実験計画とを決定するステップと、
を備える、方法。